(57)【要約】【課題】動作不可の通話状態がある場合に正しい報知をする音声通信システム。【解決手段】音声出力手段（スピーカー）１ｇが通話状態でない状態から通話機能操作手段１ｂ３を操作したとき、複数の通話状態が全て動作可能である場合と少なくとも一つの通話状態が動作不可の場合とで報知する条件を変更する。これによって、通話機能が全て動作可能な場合と一つでも動作不可の通話状態がある場合とで報知条件を変更するので、動作不可の通話状態になった場合でも、通話開始の報知をしてしまうことがなく、正しい報知ができる音声通信システムを提供できる。【選択図】図５
2006148630.tif 000002
【特許請求の範囲】
【請求項１】
建て屋に設けられた主端末と、前記主端末が設置された建て屋内の異なる場所に設置され少なくとも音声入出力手段とを持つ従端末と、前記主端末と従端末との間で接続され複数の通話状態に従って主端末と従端末との間に音声信号の送信を可能とする音声通信手段と、前記主端末と従端末との間で情報を相互に通信する機器通信手段とからなり、前記主端末は、常時操作可能に設置された音声通信を操作する通話機能操作手段と、通話状態が変化したことを知らせる報知手段とを備え、前記報知手段は通話状態でない状態から前記通話機能操作手段を操作したとき、複数の通話状態が全て動作可能である場合と少なくとも一つの通話状態が動作不可の場合とで、報知する条件を変更する音声通信システム。
【請求項２】
報知手段は、全ての通話状態が動作可能な場合には、通話機能操作手段を操作した時点で報知し、少なくとも一つの通話状態が動作不可の場合には、通話状態が確定した時点で報知する請求項１に記載の音声通信システム。
【請求項３】
複数の通話状態のうち開始する通話状態の選択を、通話機能操作手段の操作時間により行なう請求項１または２に記載の音声通信システム。
【請求項４】
表示手段を持ち、通話機能操作手段の操作時間の経過に伴い、現在の通話状態を表示手段に表示する請求項３に記載の音声通信システム。
【請求項５】
通話機能操作手段の操作により起動する通話状態の切替手段を持つ請求項１ないし４のうちの１項に記載の音声通信システム。
【請求項６】
主端末または従端末は、通話状態の確定・未確定に関わらず、報知手段が通話状態の変更を報知した場合に通話相手となる端末へ変更する通話状態を通知する請求項１ないし５のうちの１項に記載の音声通信システム。
【請求項７】
機器通信手段は、通話機能操作手段を操作開始した時点で従端末に対しあらかじめ決められた通話状態を通知し、開始する通話状態が確定した時点で前記通話状態と異なる通話状態に確定した場合にもう一度従端末に通話状態を通知する請求項１ないし６のうちの１項に記載の音声通信システム。
【請求項８】
通話状態の報知は、表示および音声により行なう請求項１ないし７のうちの１項に記載の音声通信システム。
【請求項９】
請求項１〜８のいずれか１項記載の音声通信システムの少なくとも一部をコンピュータに実現させるためのプログラム。
【発明の詳細な説明】
【技術分野】
【０００１】
本発明は異なる二つの場所の間で通話したり音声を報知する音声通信システムに関するものである。
【背景技術】
【０００２】
従来の音声通信システムは以下のような構成となっていた（参考文献１参照）。
【０００３】
従来例として参考文献１に示す給湯遠隔制御システムを示す。図１３は従来例の給湯遠隔制御システムのブロック図である。
【０００４】
１０１ａは給湯リモコン、１０１ｂはふろリモコン、１０２はメインコントローラであり、それぞれ、音声伝達手段１０３により接続されて相互に音声通信を行なう。
【０００５】
給湯リモコン１０１ａは、音声を入力するマイク１０４ａ、マイクの出力を増幅するマイクアンプ１０５ａ、マイクアンプの出力を変調して音声伝達手段１０３へ出力する変調手段１０６ａ、音声伝達手段１０３から受信した音声データを音声信号に復調する復調手段１０７ａ、復調手段１０７ａの出力を増幅するスピーカーアンプ１０８ａ、スピーカアンプ１０８ａの出力を音声として出力するスピーカ１０９ａ、マイク１０４ａまたは復調回路１０７ａからの音声信号を録音して保持し、録音した音声信号を再生時にスピーカアンプ１０８ａへ出力する録音保持回路１１０ａとからなる。
【０００６】
一方、ふろリモコン１０１ｂは、音声を入力するマイク１０４ｂ、マイクの出力を増幅するマイクアンプ１０５ｂ、マイクアンプの出力を変調して音声伝達手段１０３へ出力する変調手段１０６ｂ、音声伝達手段１０３から受信した音声データを音声信号に復調する復調手段１０７ｂ、復調手段１０７ｂの出力を増幅するスピーカーアンプ１０８ｂ、スピーカアンプ１０８ｂの出力を音声として出力するスピーカ１０９ｂとからなる。
【０００７】
給湯リモコン１０１ａとふろリモコン１０１ｂとの間で音声通信を行なう場合、給湯リモコンのマイク１０４ａから音声を入力すると、マイク１０４ａが入力された音声を電気信号に変換し、マイクアンプ１０５ａで増幅され、変調回路１０６ａから音声伝達手段１０３に出力されてふろリモコン１０１ｂに伝達され、ふろリモコン１０１ｂでは復調回路１０７ｂが変調された音声信号を復調し、スピーカーアンプ１０８ｂが音声信号を増幅し、スピーカー１０９ｂから音声として出力する。
【０００８】
ふろリモコン１０１ｂから給湯リモコン１０１ａへの通話も機器が変わるが同様な経路で音声が伝達され、相互に通話を行なうことができる。
【０００９】
なお、給湯リモコン１０１ａには録音保持回路１１０が設けられており、給湯リモコン１０１ａのマイク１０４ａから入力された音声を録音し、必要に応じてスピーカ１０９ａから出力させることができる。
【特許文献１】特開２００２−１６２１０５号公報
【発明の開示】
【発明が解決しようとする課題】
【００１０】
しかしながら、前記従来の構成では、音声通信機能として給湯リモコンとふろリモコンとの間の音声通信について記載しているが、その間の複数の通話状態があり、複数の通話状態のうち少なくとも一つの動作が禁止されている場合にどのような処理をするか開示されていない。特に、通話開始時の報知を行う場合、禁止されている通話状態がある場合にどのように報知するかは開示されていない。
【００１１】
通話状態の一例を説明する。たとえば、台所に設置する台所リモコンと、浴室に設置する浴室リモコンの間で音声で相互に会話できるインターフォン機能を有している。このインターフォン機能は、台所または浴室の双方から相互に会話できる通話機能、浴室から台所へ音声を送信し浴室の状態を台所で音声により確認できる浴室モニター機能、台所から優先的に通話できる台所優先通話機能、浴室から優先的に通話できる浴室優先通話機能といった複数の通話状態（通話モード）を有している。
【００１２】
本発明は、前記従来の課題を解決するもので、複数の通話状態が全て動作可能である場合と少なくとも一つの通話状態が動作不可の場合とで、報知する条件を変更する音声通信システムを提供することを目的とする。
【課題を解決するための手段】
【００１３】
前記従来の課題を解決するために、本発明の音声通信システムは、主端末と従端末との間で接続され複数の通話状態に従って主端末と従端末との間に音声信号の送信を可能とする音声通信手段と、前記主端末と従端末との間で情報を相互に通信する機器通信手段と、主端末には、常時操作可能に設置された音声通信を操作する通話機能操作手段と、通話状態が変化したことを知らせる報知手段とを備え、前記報知手段は通話状態でない状態から前記通話機能操作手段を操作したとき、複数の通話状態が全て動作可能である場合と少なくとも一つの通話状態が動作不可の場合とで、報知する条件を変更するものである。
【００１４】
これによって、通話機能が全て動作可能な場合と一つでも動作不可の通話状態がある場合とで、報知条件を変更するので、動作不可の通話状態になった場合でも、通話開始の報知をしてしまうことがなく、正しい報知ができる音声通信システムを提供できる。
【発明の効果】
【００１５】
本発明の音声通信システムおよびそのプログラムは、前記報知手段は通話状態でない状態から前記通話機能操作手段を操作したとき、複数の通話状態が全て動作可能である場合と少なくとも一つの通話状態が動作不可の場合とで、報知する条件を変更するので、動作不可の通話状態になった場合でも、通話開始の報知をしてしまうことがなく、正しい報知ができる音声通信システムを提供できる。
【発明を実施するための最良の形態】
【００１６】
第１の発明は、主端末と従端末との間で接続され複数の通話状態に従って主端末と従端末との間に音声信号の送信を可能とする音声通信手段と、前記主端末と検出機器との間で情報を相互に通信する機器通信手段と、主端末には、常時操作可能に設置された音声通信を操作する通話機能操作手段と、通話状態が変化したことを知らせる報知手段とを備え、前記報知手段は通話状態でない状態から前記通話機能操作手段を操作したとき、複数の通話状態が全て動作可能である場合と少なくとも一つの通話状態が動作不可の場合とで、報知する条件を変更するものである。
【００１７】
これによって、通話機能が全て動作可能な場合と一つでも動作不可の通話状態がある場合とで、報知条件を変更するので、動作不可の通話状態になった場合でも、通話開始の報知をしてしまうことがなく、正しい報知ができる音声通信システムを提供できる。
【００１８】
第２の発明は、報知手段は、全ての通話状態が動作可能な場合には、通話機能操作手段を操作した時点で報知し、少なくとも一つの通話状態が動作不可の場合には、通話状態が確定した時点で報知する。
【００１９】
これによって、全ての通話機能が動作可能な場合には即座に報知し、また、少なくとも一つの通話状態が動作不可の場合には、開始する通話状態が確定した時点で報知することができる。
【００２０】
第３の発明は、複数の通話状態のうち開始する通話状態の選択を、通話機能操作手段の操作時間により行なう。
【００２１】
これによって、通話機能操作手段の操作時間を調整することにより動作させたい機能を選択して開始できるので、一つのスイッチ操作で複数の通話状態を操作できる。
【００２２】
第４の発明は、表示手段を持ち、通話機能操作手段の操作時間の経過に伴い、現在の通話状態を表示手段に表示する。
【００２３】
これによって、通話機能操作手段の操作時間により変化する開始する通話状態を表示手段で確認しながら操作時間を決定できるので、確実に通話状態を把握でき、間違って別の通話状態に移行することを防止できる。
【００２４】
第５の発明は、通話機能操作手段の操作により起動する通話状態切替手段を持つ。
【００２５】
これによって、通話開始後に複数の通話状態のうち、別の通話機能に切り替えたい場合に、通話状態切替手段を用いて通話状態を変更することができる。
【００２６】
第６の発明は、主端末または従端末は、通話状態の確定・未確定に関わらず、報知手段が通話状態の変更を報知した場合に通話相手となる端末へ変更する通話状態を通知する。
【００２７】
これによって、通話機能操作手段を操作し報知手段が通話状態の変化の報知を始めたときに、通話相手に通話開始情報を送信するため、主端末と従端末の通話動作のタイミングをあわせることができる。
【００２８】
第７の発明は、機器通信手段は、通話機能操作手段を操作開始した時点で従端末に対しあらかじめ決められた通話状態を通知し、開始する通話状態が確定した時点で前記通話状態と異なる通話状態に確定した場合にもう一度従端末に通話状態を通知する。
【００２９】
これによって、開始する通話状態が未確定である通話機能操作手段を操作開始した時点で仮に通話状態を送信するので、主端末と従端末の両方がすぐに通話状態に移行でき、さらに開始する通話状態確定後に再度通話状態を送信するので、はじめに送信した通話状態と異なる通話状態が確定しても確定した通話状態に合わせることができる。
【００３０】
第８の発明は、通話機能切替手段は、複数の通話状態のうち現在の通話状態を表示するとともに、現在の話者が主端末と従端末とのうちどちらであるか、またはどちらでもないことを表示手段に表示するとともに、音声でも報知する。これによって、現在の通話の状態が音声で報知されるので表示手段を見なくても通話が開始されたことがわかり、さらに複数の通話状態のうち現在の通話状態が表示手段に表示されるので、表示手段を確認することによりすぐに現在の通話状態を認識することができ、わかりやすく使いやすい音声通信システムを提供できる。
【００３１】
第９の発明は、第１〜８の発明のいずれか記載の音声通信システムの機能の少なくとも一部をコンピュータに実行させるためのプログラムである。そして、プログラムであるので、電気・情報機器、コンピュータ、サーバー等のハードリソースを協働させて本発明の音声通信システムの少なくとも一部を容易に実現することができる。また記録媒体に記録したり通信回線を用いてプログラムを配信したりすることでプログラムの配布・更新やそのインストール作業が簡単にできる。
【００３２】
以下本発明の実施の形態について、図面を参照しながら説明する。なお、この実施の形態によって本発明が限定されるものではない。
【００３３】
（実施の形態１）
本発明の実施の形態１の音声通信システムを図面とともに説明する。
【００３４】
実施の形態１の音声通信システムにふろ給湯器の台所リモコンを用いた例を示す。図１は本発明の実施の形態１の音声通信システムの全体ブロック図、図２〜４はシステムの主端末等の詳細ブロック図、図５は主端末である台所リモコンの外観図である。
【００３５】
図１に示すように本実施の形態の音声通信システムは主端末である台所リモコン１、従端末である浴室リモコン２、台所リモコン１と浴室リモコン２の操作により浴室や台所への給湯する温水を生成する熱源機３からなる。
【００３６】
台所リモコン１と浴室リモコン２と熱源機３との間は熱源機制御通信手段１２により接続されて台所リモコン１及び浴室リモコン２から熱源機３の操作を行なうとともに、台所リモコン１及び浴室リモコン２に熱源機３の運転状況のモニター表示を行なえるようにしている。
【００３７】
また、台所リモコン１と浴室リモコン２との間は音声通信手段１１により接続され、台所リモコン１と浴室リモコン２との間で相互に音声を交換し会話できるインターフォン機能を実現できる構成となっている。
【００３８】
図２に示すように、台所リモコン１は、台所リモコン１を制御する台所リモコン制御手段１ａ、台所リモコン１を操作する台所リモコン操作手段１ｂ、熱源機３の動作状況など必要な情報を表示する表示手段でありかつ報知手段である台所リモコン表示手段１ｃ、あらかじめ登録されたデーターや浴室リモコン２から受信したデータを記憶する台所リモコン記憶手段１ｄ、浴室リモコン２や熱源機３と通信して熱源機の制御を行なうための通信を行なう台所リモコン熱源機通信手段１ｅ、台所リモコン１へ音声を入力するための台所リモコン音声入力手段１ｆ、台所リモコンから音声を出力する報知手段である台所リモコン音声出力手段１ｇ、浴室リモコン２と音声信号を送受信するための台所リモコン音声送受信手段１ｉ、台所リモコン音声出力手段１ｇから出力する音声の音量を変更する音量変更手段である台所リモコン音量変更手段１ｊとからなる。
【００３９】
なお図４に示すように、台所リモコン操作手段１ｂには給湯運転ボタン１ｂ１、ふろ自動ボタン１ｂ２、通話ボタン１ｂ３、矢印ボタン１ｂ４、決定ボタン１ｂ５の各ボタンがある。台所リモコン音声出力手段１ｇはスピーカ、台所リモコン音声入力手段１ｆはマイクである。
【００４０】
また図３に示すように、浴室リモコン２は、浴室リモコン２を制御する浴室リモコン制御手段２ａ、浴室リモコン２を操作する浴室リモコン操作手段２ｂ、熱源機３の動作状況など必要な情報を表示する浴室リモコン表示手段２ｃ、あらかじめ登録されたデーターや台所リモコン１から受信したデータを記憶する浴室リモコン記憶手段２ｄ、台所リモコン１や熱源機３と通信して熱源機の制御を行なうための通信を行なう浴室リモコン熱源機通信手段２ｅ、浴室リモコン２へ音声を入力するための浴室リモコン音声入力手段２ｆ、浴室リモコンから音声を出力する浴室リモコン音声出力手段２ｇ、台所リモコン１と音声信号を送受信するための浴室リモコン音声送受信手段２ｉ、浴室リモコン音声出力手段２ｇから出力する音声の音量を変更する浴室リモコン音量変更手段２ｊ、台所リモコンで浴室モニター開始するのを禁止する通話制限手段であるモニター禁止手段２ｋとからなる。
【００４１】
なお、浴室リモコン記憶手段２ｈは、あらかじめ決められたデータのみを記憶可能なＲＯＭ（Ｒｅａｄ  ｏｎｌｙ  ｍｅｍｏｒｙ）である。浴室リモコン音声出力手段２ｇはスピーカ、浴室リモコン音声入力手段２ｆはマイクである。
【００４２】
また図４に示すように、熱源機３は、熱源機を制御する熱源機制御手段３ａ、台所リモコン１および浴室リモコン２と通信して操作情報の受信や運転状況の送信を行なう熱源機リモコン通信手段３ｂ、熱源機制御手段３ａの指示により温水を生成する熱交換器３ｃ、熱交換器の温水の流量を検出する流量センサ３ｄ、熱交換器３ｃの燃焼の有無を検出する燃焼センサ３ｅ、ふろの湯量を検出するふろ湯量センサ３ｆとからなる。
【００４３】
以上の構成による作用を示す。熱源機の設置住宅の住人が台所で温水を利用する場合、まず台所リモコン操作手段１ｂの運転ボタン１ｂ１を押すと、台所リモコン音声出力手段１ｇから「給湯機の運転を開始します」と音声で報知し、給湯機が運転を開始させる。運転ボタン１ｂ１を押して運転ＯＮさせる指示は、台所リモコン熱源機通信手段１ｅから熱源機制御通信手段１２を通じて熱源機３へ伝達され、熱源機３は熱源機リモコン通信手段３ｂにより受信した運転ＯＮ指示の電文により熱源機制御手段３ａが熱源機の運転をＯＮする。
【００４４】
この状態で、台所の温水のカラン（図示せず）を開くと温水の水路が開き熱源機の温水路に上水道から供給された水が流れ、温水路に設置された流量センサ３ｄが温水路の水流を検出して熱交換器を点火し燃焼による温水の生成を開始する。
【００４５】
熱交換器の燃焼は燃焼センサ３ｅにより検出され、燃焼中であるという情報が熱源機リモコン通信手段３ｂから熱源機制御通信手段１２により台所リモコン１と浴室リモコンに送信され、台所リモコン１と浴室リモコン２では台所リモコン熱源機通信手段１ｅ、浴室リモコン熱源機通信手段２ｅが受信したデータに基づき、台所リモコン表示手段１ｃ、浴室リモコン表示手段２ｃに燃焼マークを表示して、熱源機の燃焼を報知する。熱交換器３ｃで生成された温水は住宅内の温水の水路を経て台所のカランから流出する。
【００４６】
カランを閉じると、温水の水路が閉じ、流量センサ３ｄが水流の停止を検出し、熱交換器を消火し温水の生成を停止する。燃焼が停止したことを燃焼センサ３ｅが検出すると、燃焼中でないという情報が熱源機リモコン通信手段３ｂから熱源機制御通信手段１２により台所リモコン１と浴室リモコンに送信され、台所リモコン１と浴室リモコン２では台所リモコン熱源機通信手段１ｅ、浴室リモコン熱源機通信手段２ｅが受信したデータに基づき、台所リモコン表示手段１ｃ、浴室リモコン表示手段２ｃに表示されている燃焼マークを消去し、燃焼中でないことを明示する。
【００４７】
一方、ふろを沸かす場合では、台所リモコン操作手段１ｂのふろ自動ボタン１ｂ２を押すと、台所リモコン音声出力手段１ｇから「ふろ自動運転を開始します」と音声で報知し、ふろ自動運転を開始する。
【００４８】
ふろ自動ボタン１ｂ２を押してふろ自動を運転ＯＮさせる指示は、台所リモコン熱源機通信手段１ｅから熱源機制御通信手段１２を通じて熱源機３へ伝達され、熱源機３は熱源機リモコン通信手段３ｂにより受信したふろ自動ＯＮ指示の電文により熱源機制御手段３ａが熱源機のふろ自動運転を開始する。ふろ自動では、ふろ湯量センサ３ｆが浴槽内の残り湯量を検出し、検出した残り湯量に応じてあらかじめ設定された水量のお湯を張り、湯温をあらかじめ設定された温度に調整し、あらかじめ設定された水量と湯温に到達するとお湯張りが完了して保温へ移行する。
【００４９】
保温では、ふろ湯温センサ３ｇにより湯温の低下を検出すると追い炊きを自動で行ない、設定された湯温に戻すという動作を繰り返し、あらかじめ設定された保温時間の間、この動作を継続する。
【００５０】
このような熱源機の動作内容は熱源機制御通信手段１２を経てにより熱源機３から台所リモコン１および浴室リモコンへ送信され、台所リモコン１と浴室リモコン２では台所リモコン熱源機通信手段１ｅ、浴室リモコン熱源機通信手段２ｅが受信したデータに基づき、熱源機３の運転状況に応じた表示を台所リモコン表示手段１ｃ、浴室リモコン表示手段２ｃに行なうとともに、熱源機３の運転状況に応じた音声出力を台所リモコン音声出力手段１ｇと浴室リモコン音声出力手段２ｇとから行なう。
【００５１】
カランから出湯するお湯の温度、ふろ自動で用いるお湯張り水量、温度はあらかじめ台所リモコンまたは浴室リモコンの各リモコン操作手段により入力されて熱源機へ送信され、熱源機記憶手段により設定値を記憶する。これらの設定値は浴室リモコン２または台所リモコン１で設定されるたびに熱源機に送信され、新しい設定値が送信されるたびに設定値を入れ替える。
【００５２】
また、設定や操作の際に台所リモコン１あるいは浴室リモコン２の各音声出力手段１ｇ、２ｇから出力させる音声はデジタルデータとしてそれぞれ台所リモコン記憶手段１ｄ、浴室リモコン記憶手段２ｄに記憶されており設定や操作に対応した音声ファイルを再生して音声出力している。これらの音声データを音声として出力する際は音声信号変換手段１ｍにより電気信号である音声信号に変換して音声切替手段１ｈを経て音声出力手段１ｇから音声として出力する。
【００５３】
本実施の形態では、台所リモコンと浴室リモコンの間で音声で相互に会話できるインターフォン機能を有している。インターフォン機能は台所または浴室の双方から相互に会話できる通話機能、浴室から台所へ音声を送信し浴室の状態を台所で音声により確認できる浴室モニター機能、台所から優先的に通話できる台所優先通話機能、浴室から優先的に通話できる浴室優先通話機能といった複数の通話状態を持ち、通話ボタン１ｂ３と表示手段１ｃに表示される通話状態切替手段であるインターフォン画面２１のアイコンを用いて操作を行う。
【００５４】
なお、浴室リモコン２には台所リモコンで浴室モニターを禁止するモニター禁止手段（通話制限手段）をもち、浴室リモコン２の操作により台所リモコン１で浴室モニターを開始できないように設定することができる。
【００５５】
図６、７にインターフォン画面２１を、図８に通話ボタン１ｂ３を操作したときに開始する機能を設定する通話機能設定手段である通話設定画面２２を、図１０に通話ボタン１ｂ３を操作したときに動作する機能を決定するフローチャートを示す。
【００５６】
インターフォン機能は通話ボタン１ｂ３を押すことで開始されるが、開始する前に、通話設定画面２２により通話ボタン１ｂ３が操作されたときに通話機能と浴室モニターとの二つのインターフォン機能のうちどちらを開始するかを設定しておく。
【００５７】
図９に通話設定画面２２を示す。通話設定画面２２は画面背景２２ａ、通話に設定するときに操作する通話アイコン２２ｂ、モニターに設定するときに操作するモニターアイコン２２ｃ、設定を確定する確定アイコン２２ｄとからなり、インターフォン機能を使用していないときに通話ボタン１ｂ３を押した場合、通話アイコン２２ｂとモニターアイコン２２ｃのうち選択された機能が開始される。図９（ａ）（ｂ）のように、選択された通話アイコン２２ｂ、モニターアイコン２２ｃは選択時と非選択時で表示が変化し、一方が選択された場合は選択された側は選択表示となりもう一方が非選択表示となる。
【００５８】
次に、通話ボタン１ｂ３の操作により開始する機能を決定する手順を図１０のフローチャートに基づき説明する。この処理は通話状態に関わらず０．２秒毎に処理されている。  
【００５９】
まず、現在の通話状態が浴室優先通話かどうかを確認（３１ｂ）し、浴室優先通話であれば通話ボタン１ｂ３の操作を処理せずすぐに終了（３１ｖ）し、浴室優先通話でなければ通話スイッチがＯＮ中であるかを確認（３１ｃ）する。
【００６０】
ここで「通話」スイッチがＯＮであれば「通話」スイッチがＯＦＦからＯＮに変化したかを確認（３１ｄ）し、ＯＦＦからＯＮに変化した場合は「通話」スイッチの設定が浴室モニターであるかの確認（３１ｉ）に進み、ＯＮが継続している場合は「通話」スイッチが一定時間以上押し続けられている長押しかどうかの確認（３１ｅ）に進む。長押しの確認では１．５秒以上連続して通話ボタン１ｂ３がＯＮとなっている場合に長押しと判定する。
【００６１】
長押しでなければ処理を終了（３１ｖ）し、長押しであればＯＦＦからＯＮに変わったときに通話開始の報知を行っているかを確認し、まだ報知を行っていない場合には通話開始報知（３１ｇ）を行なって台所優先通話を開始（３１ｈ）して処理を終了（３１ｖ）する。また、すでに報知を行っている場合には通話報知を行わずに台所優先通話を開始（３１ｈ）して処理を終了（３１ｖ）する。
【００６２】
次に、通話スイッチの確認（３１ｉ）では、通話に設定されている場合には通話開始報知（３１ｋ）を行い通話を開始（３１ｏ）して処理終了（３１ｖ）し、浴室モニターの場合にはモニター禁止中かどうかを確認（３１ｊ）し、モニター禁止中で無ければ通話開始報知（３１ｍ）を行い浴室モニターを開始（３１ｎ）して処理を終了（３１ｖ）する。モニター禁止中の場合にはモニター禁止表示フラグをＯＮにする（３１ｌ）だけで処理を終了（３１ｖ）する。
【００６３】
一方、「通話」スイッチの確認（３１ｃ）で「通話」スイッチがＯＮでないときは、ＯＮからＯＦＦに変化したかの確認（３１ｐ）を行い、ＯＮからＯＦＦに変化したのでなければ終了（３１ｖ）する。ＯＮからＯＦＦに変化した場合は台所優先通話中かどうか確認（３１ｑ）し、台所優先通話中であれば通話開始（３１ｏ）して処理終了（３１ｖ）する。台所優先通話中でなければ通話または浴室モニター開始直後かどうかを確認（３１ｒ）し開始直後であれば終了（３１ｖ）する。開始直後でなければモニター禁止フラグがＯＮかどうか確認（３１ｓ）し、ＯＮであればモニター禁止を表示（３１ｔ）して終了（３１ｖ）する。ＯＮでなければ通話終了（３１ｕ）して終了（３１ｖ）する。
【００６４】
なお、通話開始が報知済みかどうかの確認（３１ｆ）で報知済みのときはモニター禁止表示ＯＮ（３１ｌ）で立てたフラグをＯＦＦするモニター禁止表示フラグＯＦＦ処理（３１ｗ）を行っている。
【００６５】
なお、通話開始報知では音声出力手段１ｇによるメロディ出力と、表示手段１ｃによる画面表示により行われる。
【００６６】
このフローでは、浴室モニター禁止が設定されておらず、すべての通話状態が設定可能となっている場合と浴室モニターが設定され通話機能のうち浴室モニター機能が使用できない場合とで通話状態を開始することを報知する通話開始報知の条件を変更している。
【００６７】
すなわち、浴室モニター禁止が設定されている場合には、開始される通話状態に関わらず通話ボタン１ｂ３を押したときにすぐ通話開始報知が行われるが、浴室モニター禁止が設定されている場合で、かつ、通話設定画面２２において通話ボタン１ｂ３を押したときに開始する機能を浴室モニターに設定している場合には、通話ボタン１ｂ３を押したときではなく、１．５秒間通話ボタン１ｂ３を押し続けて長押し判定により台所優先通話を開始することが確定した時点で通話開始報知が行われる。
【００６８】
これは、浴室モニター禁止設定がなされ、かつ、通話ボタン１ｂ３を押したときに開始される通話機能が浴室モニターと設定されている場合は、通話１ｂ３ボタンを押した時点では、浴室優先通話を開始するのか、浴室モニターを開始せず浴室モニター禁止表示を行うのかが確定していないため、この時点で通話開始報知を行うとモニター禁止の場合にも通話開始報知をしてしまうので、この時点で報知することはできない。
【００６９】
従って、この場合にのみ、通話開始報知を浴室優先通話を開始する時点で通話開始報知し、これによって通話を開始しない場合に通話開始報知をしてしまうことが無く、正しい通話開始報知をすることができる。
【００７０】
また、上記フローでは、通話なしの状態で通話ボタン１ｂ３が押されてすぐ離されたときに通話または浴室モニターのうち通話設定画面２２で設定された通話状態となり、そのまま一定時間（例えば１．５秒）連続して押されたときに浴室優先通話となる。また、通話状態で通話ボタン１ｂ３が押されてすぐ離されたときは通話なしとなり、そのまま一定時間（例えば１．５秒）連続して押されたときに浴室優先通話となる。
【００７１】
これにより、一つのスイッチで動作させたい機能選択して開始でき、複数の通話状態を開始することができる。
【００７２】
なお、本実施の形態では、１．５秒で長押しの判定を行い、開始する機能を切り替えているが、１．５秒は比較的長く意識してないと押し続けることがない時間であり、台所優先通話を開始するときには明確に台所優先通話を開始する意思のあるときにのみ開始できるようにしている。
【００７３】
これは、通話ボタン１ｂ３を押してすぐ離すと、通話なしの状態では通話または浴室モニターのうち通話設定画面２２で設定された通話状態となり、通話状態では通話なしとなり、複数の通話状態を一つの通話ボタン１ｂ３で切り替え可能とするために、通話ボタン１ｂ３に割り当てられた機能は大変複雑になっている。そこで、台所優先通話を開始する際に、他の機能と切り分けられるように、比較的長い意識してないと押し続けることがない時間通話ボタン１ｂ３を押し続けることにより、使用者にとって選択しやすくわかりやすい操作を実現している。
【００７４】
なお、通話ボタンを押し続けたとき、表示手段に表示される報知画面も、通話状態により変化し、浴室モニター禁止設定がなされてない場合には、通話ボタン１ｂ３を押した時点で通話設定画面２２で設定された機能を表示し、そのまま通話ボタンを押し続け、台所優先通話に変化した時点で台所優先通話状態を表示する。
【００７５】
これにより、使用者は表示手段１ｃを見ながら通話ボタン１ｂ３を押すことにより、確実に台所優先通話が開始されたことを知ることができ、確実に通話状態を把握でき、間違って別の通話状態に移行することを防止できる。
【００７６】
なお、このとき、音声による報知は、すでに通話ボタン１ｂ３を押した時点で行われているため、表示のみ変化する。浴室モニター禁止が設定されている場合には、通話ボタン１ｂ３を押した時点では画面を表示しないが、通話ボタンを押し続けて台所優先通話が確定した時点で音声による報知とともに表示される。
【００７７】
なお、通話状態が開始されたときに音声の報知とともに表示手段の表示も行っているが、この構成により浴室リモコンから通話を開始された場合には、リモコンを見なくても通話が始まったことを認識することができ、その後表示手段１ｃを確認することにより、複数の通話状態のうちどの通話状態が開始されたかをすぐに知ることができ、使いやすい通話システムを実現している。
【００７８】
以上のフローで、開始する通話機能が判定されるとその機能にあわせて機能開始する電文が台所リモコン熱源機通信手段１ｅから熱源機制御通信手段１２を通じて浴室リモコン２へ伝達されるとともに、台所リモコン制御手段１ａが台所リモコン音声切換手段１ｈを操作する。上記通話ボタン１ｂ３の操作により通話または浴室モニターが開始されると台所リモコン１の表示手段１ｃにインターフォン画面２１が表示される。
【００７９】
図６、７、８にインターフォン画面を示す。図６（ａ）（ｂ）（ｃ）は通話時、図７は浴室モニター時、図８（ａ）（ｂ）は優先通話時の画面である。
【００８０】
図６に示すように、インターフォン画面は背景２１ａ、通話を開始するときに選択し選択状態を表示する通話アイコン２１ｂ、浴室モニターを開始するときに選択し選択状態を表示するモニターアイコン２１ｃ、インターフォンの状態を表示する状態表示２１ｄ、台所リモコン１から出力される浴室リモコン２から受信した音声の大きさを変更する音量操作手段である音量変更アイコン２１ｅ、インターフォン画面表示中に別の操作を行う場合にインターフォン画面を閉じる閉じるアイコン２１ｆ、音量変更アイコン２１ｅの機能を文字で説明する音量変更説明表示２１ｇとからなる。
【００８１】
状態表示２１ｄは文字で状態を表示する文字表示２１ｄ１と絵で表示する絵表示２１ｄ２からなり、また、音量変更アイコン２１ｅは音量の大きさを小２１ｅ１、中２１ｅ２、大２１ｅ３の３段階で設定できるようにしている。
【００８２】
インターフォン機能では、台所から浴室へ音声を送信する場合、台所リモコン音声入力手段１ｆで採取して電気信号に変換した音声信号を台所リモコン音声切換手段１ｈを経て台所リモコン音声送受信手段１ｉへ送信し、台所リモコン音声送受信手段１ｉは受信した音声信号を音声通信手段１１を介して音声信号を送信可能な信号に変調した上で音声通信手段１１へ出力し浴室リモコン２へ送信する。
【００８３】
浴室リモコン２では、浴室リモコン熱源機通信手段３ｂにより受信した台所話手の電文により浴室リモコン制御手段２ａが浴室リモコン音声切換手段２ｈを操作し、浴室リモコン音声送受信手段１ｉが台所リモコン１から受信した信号を復調して音声信号へ変換し、浴室リモコン音声出力手段２ｇから出力させる。
【００８４】
一方、浴室から台所へ音声を通信する場合、浴室リモコン音声入力手段２ｆから採取され信号変換された音声信号は、台所から浴室への通話と逆の経路を経て台所リモコンへ伝達され、浴室内の音声は台所リモコン音声出力手段１ｇから出力される。
【００８５】
台所でも、浴室の場合と同様に、台所リモコン音声出力手段１ｇから出力される音量が小さすぎたり大きすぎたりした場合は、台所リモコン操作手段１ｂを操作して音量を変更できる。この操作を行うと台所リモコン制御手段１ａの指示により台所リモコン音量変更手段１ｊの増幅率が変化し台所リモコン音声出力手段１ｇから出力される音量が変化する。
【００８６】
なお、複数のインターフォン機能のうち通話機能は台所と浴室のうち音声が入力される側が送信側、入力されてない側が受信側となる双方向通信であり、台所が話し手となる台所話者モード、浴室が話し手となる浴室話者モード、どちらも話し手ではない待機モードの３つのモードをもつ。
【００８７】
待機モードのときに、例えば台所で先に音声が入力されると台所リモコン音声切換手段１ｈが台所リモコン制御手段１ａに状態を送信し、台所リモコン熱源機通信手段１ｅから浴室リモコン２へ台所話者モードを示す電文を送信して台所、浴室とも台所話者モードとして台所から浴室への音声伝達を実現している。
【００８８】
この台所話者モードで台所からの音声がなくなると、台所リモコン制御手段１ａが待機モードを示す電文を送信して、台所、浴室ともに待機モードとして次の音声入力を待つ。
【００８９】
このような通話機能の３つのモードを表示手段の状態表示２１ｄで表示している。図６（ａ）は待機モードであり絵表示２１ｄ２の左側の台所表示と右側の浴室表示のどちらも細く表示される。図６（ｂ）は浴室話者モードであり左側の浴室表示が太く強調され、真ん中の方向表示が浴室から台所への方向を示している。（ｃ）は台所話者モードであり右側の浴室表示が太く強調され、真ん中の方向表示が台所から浴室への方向を示している。
【００９０】
これらの絵表示により、通話の３つのモードを視覚的に表示し、現在の状態が使用者に認識できるようにしている。
【００９１】
なお、通話中は通話アイコン２１ｂは通話中を示す選択表示、モニターアイコン２１ｃは非選択表示となり、状態表示２１ｄの文字表示２１ｄ１に「通話中」を表示する。一方、浴室モニターの場合には、モニターアイコン２１ｃが選択状態表示、通話アイコン２１ｂが非選択状態となり、また状態表示２１ｄも文字と絵でモニター中であることを表示する。
【００９２】
さらに台所優先通話または浴室優先通話の場合には、図８に示すように状態表示２１ｂの文字表示２１ｄ１に「優先通話」と表示され、絵表示２１ｄ２には、台所優先通話の場合には図８（ｂ）に示すように左側の台所表示が強調して表示され、浴室優先通話の場合には図８（ａ）に示すように右側の浴室表示が協調されて表示される。
【００９３】
なお、台所優先通話の場合には、台所から音声を出力させることが無いため音量変更アイコン２１ｅは不要であり、音量変更アイコン２１ｅを表示させないようにしている。
【００９４】
以上、これらにより現在のインターフォン機能の状態が視覚的に明確に表示され、使用者にわかりやすいリモコンを実現している。
【００９５】
また、浴室モニター禁止設定がなされてない場合、通話無しの状態で通話ボタン１ｂ３を押すと、押した時点で通話開始報知を行うが、この時点で通話開始を通知する電文を浴室リモコンへ送信し、浴室リモコンではこの電文を受信して通話開始報知を行っている。この時点では、長押し判定ができないため開始される通話状態が未確定であるが、通話ボタン１ｂ３を押した時点で何らかの通話が開始されることが明確であるため、この時点で電文送信し台所リモコンと浴室リモコンとで通話状態をあわせるようにしている。
【００９６】
これにより台所リモコンと浴室リモコンとで通話状態の開始を合わせることができ、通話状態開始時にすぐに音声を伝達することができる。
【００９７】
さらに、通話ボタン１ｂ３を１．５秒押し続けて長押しが確定し、台所優先通話が開始されたときにも、台所優先通話開始を通知する電文を浴室リモコンへ送信し、浴室リモコンではこの電文を受信して通話状態を台所優先通話に切り替えている。
【００９８】
これによって、通話状態が確定した時点で台所リモコンと浴室リモコンとの間で通話状態を合わせることができ、始めに送信した通話状態と異なる通話状態に確定しても確定した通話状態に合わせることができる。
【００９９】
また、インターフォン画面では、通話アイコン２１ｂ、モニターアイコン２１ｃを選択することによりインターフォン機能を切り換えることができる。インターフォン機能開始時は通話ボタン１ｂ３にあらかじめ設定されたインターフォン機能が動作し、その機能を示すアイコンが選択状態となって表示されるが、あらかじめ設定された機能でなくもう一方の機能にしたいときに非選択状態で表示されるアイコンを選択することによりインターフォン機能を変更できる。
【０１００】
通話と浴室モニターという二つのインターフォン機能については通常は通話を選択するが、例えば子供や高齢者のおふろでの状態を台所で確認するために浴室モニターを使用する場合があり、通常は通話だが特定の人が入浴中の場合にのみ浴室モニターを使用するという使い方が想定できる。この場合、インターフォン機能の切換はインターフォン開始時に多く行われるため、インターフォン開始時にインターフォン画面を表示することによりインターフォン機能の切換が必要なインターフォン開始時に簡単に機能を切り換えることができるようにしている。
【０１０１】
また、これにより、通話ボタン１ｂ３と通話アイコン２１ｂ、モニターアイコン２１ｃの組み合わせと、通話ボタン１ｂ３へのインターフォン機能設定によって、複数のインターフォンの機能の起動、機能切換、終了が簡単確実にできる。
【０１０２】
また、インターフォン画面では前述の通り台所リモコンから出力される浴室リモコンから送信された音声の音量を変更するための音量変更アイコンが配置されており、インターフォン機能を開始しインターフォン画面が閉じるまでの間は音量調整アイコンにより簡単に音量を変更できる。これによって実際に音量が小さいときに大きくしたりすることがすぐにできる。
【０１０３】
なお、この音量変更アイコンは、通話状態が台所優先通話になった場合に、台所から音声を出力させることが無いため音量変更アイコン２１ｅは不要であり、音量変更アイコン２１ｅを表示させないようにしているが、表示させないのではなく内容がわかるが他の有効アイコンより目立たない薄い色で表示ささせ、有効なアイコンと異なるデザインとして表示する方法でもよい。このようにすることにより、アイコンはあるが、今は使えない状態であることを使用者に示すことが可能で、使用不可のアイコンを明確にすることができる。
【０１０４】
また、本実施の形態では浴室リモコンでは台所リモコンで浴室モニターを開始することを禁止するモニター禁止手段を持つが、モニター禁止に設定された場合、通話ボタン１ｂ３の機能が浴室モニターに設定されているときに通話ボタン１ｂ３を操作すると一旦モニター禁止中を示す警告画面を表示するが、３秒間表示した後にインターフォン画面を表示するようにしている。図１１にモニター禁止中を示す警告画面２３ｂを示す。
【０１０５】
これは、通話ボタン１ｂ３が浴室モニターに設定されていた場合、モニター禁止を示す警告表示２３ｂをおこなうが、それだけでは通話機能を開始することができず、通話機能を開始するためには通話ボタン１ｂ３の設定を変更する必要があった。しかし、本実施の形態のようにインターフォン画面を表示することにより、通話アイコン２１ｂを選択することにより簡単に通話機能を開始することができる。
【０１０６】
さらに、本実施の形態では、通話ボタン１ｂ３を通話機能に設定した状態で、浴室モニターでインターフォン機能が動作しているときに、通話ボタン１ｂ３を押した場合に浴室モニターを終了したことを報知する報知画面を表示している。この報知画面を図１２に示す。
【０１０７】
この場合、浴室モニター中なので通話ボタンを選択すると浴室モニターを終了することになるが、使用者が通話ボタンを押して通話機能を開始しようと思い通話ボタン１ｂ３を操作した場合には、使用者の意図した動作をしないことになり、使用者にとってわかりにくいものとなる。
【０１０８】
特に、浴室モニター中にインターフォン画面の閉じるアイコン２１ｆを押しインターフォン画面を表示させてないときにこのような現象が発生しやすく、このような場合に使用者に今の状態を報知することで、操作のわかりにくさを改善している。
【０１０９】
また、本実施の形態では、通話無しの状態で通話ボタン１ｂ３を押し、通話状態が開始されると台所リモコン１の表示手段１ｃにインターフォン画面２１が表示されるが、通話または浴室モニター中に通話ボタン１ｂ３を長押しし、台所優先通話が開始された場合にもインターフォン画面２１を表示している。
【０１１０】
これによって、通話中、または、浴室モニター中にインターフォン画面を一旦閉じた場合でもインターフォン画面を表示させることができ、通話から浴室モニターへ、浴室モニターから通話へと通話状態を変更することができる。
【０１１１】
本実施の形態の音声通信システムで使用する台所リモコン１は、給湯機能とインターフォン機能について説明したが、複数の画面を切り替えてネットワークに接続したり熱源機以外の機器を操作することが可能な複数の機能を操作できる多機能リモコンであってよく、その場合に本発明はより高い効果を生み出すことができる。
【０１１２】
台所リモコン１の操作は、台所リモコン操作手段１ｂと台所リモコン表示手段１ｃとを用い、表示手段１ｃに表示された画像や文字のデータを操作手段１ｂを用いて選択することにより様々な機能を操作でき、また、表示手段１ｃに表示する画像を変更することで別の機能を操作することが可能となっている。
【０１１３】
このような機器では本実施の形態のようにインターフォン機能を利用するときのみインターフォン画面２１表示し、不要なときに削除できるようにすることが使いやすいリモコンの実現に重要であり、本実施の形態の構成により使いやすいリモコンを実現できる。もちろん、本実施の形態に述べた機能のみを持つ機器に適用してもよい。
【０１１４】
なお、浴室リモコン２からの音声出力は、台所リモコン１からの指示により自動的に行う方法でも良いが、台所リモコン１がデータを受信したときにまずお知らせメロディ等で浴室にデータ受信を知らせ、浴室リモコンからの指示により音声信号を台所リモコンから浴室リモコンへ送信する構成としても良い。このような構成とすることにより、突然音声が出力されることがないので、突然の音声で浴室の人が驚いたり、最初の言葉が聞き取れなかったりすることがない。
【０１１５】
また、本実施の形態の音声通信システムでは台所リモコン操作手段１ｂをボタンで構成しているが、表示手段１ｃに直接タッチして画面上のアイコンを操作できるタッチパネルを用いてもよく、その場合にはより使いやすい台所リモコンとすることができる。
【０１１６】
また、本実施の形態の音声通信システムでは、音声通信手段１１と熱源機制御通信手段１２と機器通信手段１０との三種の通信手段を分離して記載しているが、三種のうちいずれか二種、もしくは三種すべて物理的に同一の線を用いて周波数や時間、パケット等で分離して通信する構成としてもよい。
【０１１７】
また、本実施の形態の音声通信システムは、給湯器の台所リモコン、浴室リモコンを例として表記しているが、家庭内、事務所内等の警報通信システムであり音声を通信できるシステムであればいかなる用途であっても適用できる。
【０１１８】
また、本実施の形態の音声通信システムでは、インターフォンとして音声データを電気信号である音声信号に変換し、さらに音声送受信手段で変調、復調して音声通信手段で通信しているが、デジタルデータの音声データをそのまま、またはパケットに分割して送受信する等の方法でも適用できる。
【０１１９】
なお、本実施の形態で説明した手段は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【０１２０】
以上のように本発明にかかる音声通信システムおよびそのプログラムは、動作不可の通話状態になった場合でも、通話開始の報知をしてしまうことがなく、正しい報知ができる音声通信システムを提供できる。また、本実施の形態に示した給湯暖房システムに限らず、異なる二点間の通話で複数の通話状態をもつ音声通信システムであれば適用できる。
【図面の簡単な説明】
【０１２１】
【図１】本発明の実施の形態１における音声通信システムの概要ブロック図
【図２】同装置の主端末の詳細ブロック図
【図３】同装置の従端末の詳細ブロック図
【図４】同装置の熱源機の詳細ブロック図
【図５】同装置の主端末の外観図
【図６】（ａ）同装置の通話状態切替手段の通話機能・待機モードの画面図（ｂ）同装置の通話状態切替手段の通話機能・浴室話者モードの画面図（ｃ）同装置の通話状態切替手段の通話機能・台所話者モードの画面図
【図７】同装置の通話状態切替手段の浴室モニターの画面図
【図８】（ａ）同装置の通話状態切替手段の浴室優先通話時の画面図（ｂ）同装置の通話状態切替手段の台所優先通話時の画面図
【図９】（ａ）同装置の操作手段機能設定手段の通話機能設定時の画面図（ｂ）同装置の操作手段機能設定手段の浴室モニター設定時の画面図
【図１０】同装置の通話機能操作手段の操作時のフローチャート
【図１１】同装置の通話制限中に通話機能操作手段を操作した場合の警告画面図
【図１２】同装置の浴室モニター中に通話機能操作手段を操作した場合の報知画面図
【図１３】従来例の浴室リモコンのブロック図
【符号の説明】
【０１２２】
１  台所リモコン（主端末）
１ｂ  表示手段操作手段
１ｂ３  通話ボタン（通話機能操作手段）
１ｃ  台所リモコン表示手段（表示手段、報知手段）
１ｆ  音声入力手段（音声入出力手段）
１ｇ  音声出力手段（報知手段）
２  浴室リモコン（従端末）
２ｋ  通話制限手段
１１  音声通信手段
１２  熱源機制御通信手段（機器通信手段）
２１  インターフォン画面（通話状態の切替手段）
２１ｅ  音量変更アイコン（通話音量操作手段）
２２  通話機能切替画面（操作手段機能設定手段）
【図１】
2006148630.tif 000003
【図２】
2006148630.tif 000004
【図３】
2006148630.tif 000005
【図４】
2006148630.tif 000006
【図５】
2006148630.tif 000007
【図６】
2006148630.tif 000008
【図７】
2006148630.tif 000009
【図８】
2006148630.tif 000010
【図９】
2006148630.tif 000011
【図１０】
2006148630.tif 000012
【図１１】
2006148630.tif 000013
【図１２】
2006148630.tif 000014
【図１３】
2006148630.tif 000015